(57)【要約】【課題】便器洗浄タンクを有していても、前出寸法を小さくできる便器装置を提供すること。【解決手段】便器本体２１と、便器本体２１の上面２１ａに配置される便器洗浄タンク４と、便器洗浄タンク４を覆うタンクカバー５とを備える便器装置１であって、便器洗浄タンク４のタンク容積が３Ｌ以上であり、且つ、タンクカバー５の最前端Ｐ１からタンクカバー５の最後端Ｐ３までの水平距離をＤａ、タンクカバー５の最前端Ｐ２からタンクカバー５の最後端Ｐ３までの水平距離をＤｂとしたとき、Ｄｂ≦Ｄａ／５の関係を満たす。【選択図】図１
2019190251.tif 000002
【特許請求の範囲】
【請求項１】
便器本体と、前記便器本体の上面に配置される便器洗浄タンクと、前記便器洗浄タンクを覆うタンクカバーと、を備える便器装置であって、
前記便器洗浄タンクのタンク容積が３Ｌ以上であり、且つ、前記便器本体の最前端から前記タンクカバーの最後端までの水平距離をＤａ、前記タンクカバーの最前端から前記タンクカバーの最後端までの水平距離をＤｂとしたとき、Ｄｂ≦Ｄａ／５の関係を満たす、便器装置。
【請求項２】
前記タンクカバーの前面及び後面は、前記便器本体の設置面に対して垂直に配置されている、請求項１に記載の便器装置。
【請求項３】
前記タンクカバーの横幅をＷ、前記タンクカバーの高さをＨとしたとき、Ｄａ：Ｗ：Ｈ＝１０：５．４：５．７である、請求項１又は２に記載の便器装置。
【発明の詳細な説明】
【技術分野】
【０００１】
本発明は、便器装置に関する。
【背景技術】
【０００２】
従来、便器本体と、便器本体の上面に固定される便器洗浄タンクと、を有する便器装置が知られている（例えば、特許文献１参照）。
【先行技術文献】
【特許文献】
【０００３】
【特許文献１】特開２０１０−７４５１号公報
【発明の概要】
【発明が解決しようとする課題】
【０００４】
便器装置が、便器本体に供給する洗浄水を貯留する便器洗浄タンクを有するタンク式の便器装置である場合には、便器本体の後部側の上面に便器洗浄タンクが固定されるため、それだけ便器装置の前出寸法が大きくならざるを得ない。この場合、便器の大きさを小さくすると、便鉢の大きさが小さくなるため、便器装置の機能確保の観点からは好ましくない。
【０００５】
このため、従来、タンク式の便器装置の前出寸法を縮小化することが困難であり、狭小なスペースにタンク式の便器装置を設置する点で課題を有している。
【０００６】
本発明は、便器洗浄タンクを有していても、前出寸法を小さくできる便器装置を提供することを目的とする。
【課題を解決するための手段】
【０００７】
（１）  本発明に係る便器装置は、便器本体（例えば、後述の便器本体２１）と、前記便器本体の上面（例えば、後述の上面２１ａ）に配置される便器洗浄タンク（例えば、後述の便器洗浄タンク４）と、前記便器洗浄タンクを覆うタンクカバー（例えば、後述のタンクカバー５）と、を備える便器装置（例えば、後述の便器装置１）であって、前記便器洗浄タンクのタンク容積が３Ｌ以上であり、且つ、前記便器本体の最前端（例えば、後述の最前端Ｐ１）から前記タンクカバーの最後端（例えば、後述の最後端Ｐ３）までの水平距離をＤａ、前記タンクカバーの最前端（例えば、後述の最前端Ｐ２）から前記タンクカバーの最後端までの水平距離をＤｂとしたとき、Ｄｂ≦Ｄａ／５の関係を満たす。
【０００８】
（２）  （１）に記載の便器装置において、前記タンクカバーの前面及び後面は、前記便器本体の設置面（例えば、後述の床面ｆ１）に対して側面視垂直に配置されていることが好ましい。
【０００９】
（３）  （１）又は（２）に記載の便器装置において、前記タンクカバーの横幅をＷ、前記タンクカバーの高さをＨとしたとき、Ｄａ：Ｗ：Ｈ＝１０：５．４：５．７であることが好ましい。
【発明の効果】
【００１０】
本発明によれば、便器洗浄タンクを有していても、前出寸法を小さくできる便器装置を提供することができる。
【図面の簡単な説明】
【００１１】
【図１】本発明に係る便器装置の寸法を説明する便器装置の模式図である。
【図２】従来の便器装置の寸法を説明する便器装置の模式図である。
【図３】本発明に係る便器装置を示す斜視図である。
【図４】本発明に係る便器装置における便器洗浄タンクの内部を示す平面図である。
【図５】本発明に係る便器装置における便器洗浄タンクの一部を分解して示す後面側から見た斜視図である。
【図６】本発明に係る便器装置におけるタンク本体を示す側面図である。
【図７】本発明に係る便器装置におけるタンクカバーを除く便器洗浄タンクの一部を分解して示す正面側から見た斜視図である。
【図８】本発明に係る便器装置における便器洗浄タンクの下部構造の要部を拡大して示す断面図である。
【発明を実施するための形態】
【００１２】
以下、本発明の実施形態について図面を参照して詳細に説明する。
本実施形態に示す便器装置１は、図１に示すように、便器２が床面ｆ１に設置される床置きタイプの便器装置を示している。なお、以下の説明において、便器２に着座した使用者から見た場合の前後の向きを前後方向とする。また、便器２に着座した使用者から見た場合の左右の向きを幅方向とする。更に、便器２が設置される床面ｆ１に対する鉛直方向に沿う上下の向きを上下方向とする。
【００１３】
便器装置１は、便器本体２１の後部側の上面２１ａに、便器本体２１に供給する洗浄水を貯留する便器洗浄タンク４を備えている。便器洗浄タンク４は、３Ｌ（リットル）以上の洗浄水を貯留可能なタンク容積を有している。便器洗浄タンク４は、タンクカバー５によって覆われている。このタンクカバー５の前面５０ａ及び後面５０ｂは、床面ｆ１に対して側面視垂直に配置されている。タンクカバー５の後面５０ｂの位置は、便器本体２１の最後端の位置と同じか又は便器本体２１の最後端の位置よりも後方に配置されている。
【００１４】
この便器装置１において、便器本体２１の最前端Ｐ１からタンクカバー５の最後端Ｐ３までの水平距離（前出寸法）をＤａとし、タンクカバー５の最前端Ｐ２からタンクカバー５の最後端Ｐ３までの水平距離（最大奥行き寸法）をＤｂとしたとき、Ｄｂ≦Ｄａ／５の関係を満たす。
【００１５】
この関係を満たす便器装置１は、便器本体２１の便鉢２１ｂの大きさを従来の便鉢の大きさと同じにした場合でも、便器装置１の前出寸法（水平距離Ｄａ）を従来よりも小さくすることができる。例えば、便鉢の大きさを４６０ｍｍとした場合、本発明に係る便器装置１によれば、水平距離Ｄｂ（便器洗浄タンク４の最大奥行き寸法）を約１３０ｍｍとすることにより、３Ｌのタンク容積を確保しながら、水平距離Ｄａ（便器装置１の前出寸法）を約６７５ｍｍまで縮小することができる。
【００１６】
このように、便器本体２１の便鉢２１ｂの大きさを変えることなく便器装置１の前出寸法を縮小化するには、便器洗浄タンク４の奥行き寸法を小さくして薄型化する必要がある。そこで、以下に、薄型化された便器洗浄タンク４を有する便器装置１の一実施形態について、図２〜図８を用いて説明する。
【００１７】
図２に示すように、便器装置１は、便器２と、便器洗浄装置３と、を備えている。便器２は、立壁面ｆ２に近接した床面ｆ１上に設置されている。便器２は、便器本体２１の上部に回動可能に取り付けられた便座２２及び便蓋２３と、これら便座２２及び便蓋２３の後方に配置される便座装置の機能部２４と、を有している。便器本体２１の後部の両側面には、それぞれサイドカバー２１１が面ファスナー等によって着脱可能に取り付けられ、便器本体２１の後部を遮蔽している。
【００１８】
便器洗浄装置３は、便器本体２１の後方に配置されている。便器洗浄装置３は、便器洗浄タンク４と、便器洗浄タンク４の外装体であるタンクカバー５と、を含んで構成される。
便器洗浄タンク４は、図４及び図５に示すように、タンク本体４１と、内蓋４２と、ベースプレート４３と、防露材４４と、補強フレーム４５と、を備えている。
【００１９】
タンク本体４１は、ブロー成形品からなる。ブロー成形されたタンク本体４１の上面開口部４１１（図３参照）は、ブロー成形品の上部を略水平方向に切断することによって形成される。このため、ブロー成形品は、前後方向に離型することによって成形でき、射出成形品のような離型のための抜き勾配を上下方向に設ける必要がない。その結果、タンク本体４１の外周面は、図６に示すように、上下方向に沿って真っ直ぐな面となり、床面に対して垂直に延びた側壁面を構成することができる。このため、タンク本体４１は、抜き勾配に起因するタンク容積の減少が少なく、奥行き寸法を小さくして薄型化しても、射出成形品に比べてタンク容積を大きく確保することが可能である。その結果、このタンク本体４１を有する便器洗浄タンク４を備えた便器装置１は、前後方向の寸法（前出寸法）を縮小化することが可能である。
【００２０】
タンク本体４１の内部には、洗浄水が貯留されると共に、図４に示すように、便器洗浄用の内部部品が収容されている。具体的には、タンク本体４１内には、給水を行うボールタップ４ａ、ボールタップ４ａの止水を行うためのフロート４ｂ、洗浄水の水位を制限すると共に便器本体２１に補給水を供給するためのオーバーフロー管４ｃ、排水口を開閉するフラッパー弁４ｄ、フラッパー弁４ｄを引き上げる玉鎖４ｅ、玉鎖４ｅを引き上げ操作するための引上げアーム４ｆ等が収容されている。引上げアーム４ｆには、タンクカバー５の外側に取り付けられるレバーハンドル４ｇのスピンドル４ｈが連結されている。
【００２１】
内蓋４２は、タンク本体４１の上面開口部４１１を被蓋するように設けられている。内蓋４２は、内蓋本体４２１と、点検蓋４２２とで構成される。内蓋本体４２１は、上面開口部４１１の全周に沿って装着され、タンク本体４１に対してねじ止めされている。一方、点検蓋４２２は、タンク本体４１に対してねじ止めされておらず、内蓋本体４２１に対して着脱可能に取り付けられている。このため、内蓋４２は、内蓋本体４２１から点検蓋４２２を取り外すことにより、ねじ止めされている内蓋本体４２１を取り外すことなく、タンク本体４１の内部に対してアクセス可能である。
【００２２】
ベースプレート４３は、タンク本体４１の下部に取り付けられている。本実施形態に示すベースプレート４３は、タンク本体４１よりも硬質な樹脂によって形成され、タンク本体４１の底面形状と略等しい平面形状を有している。ベースプレート４３は、タンク本体４１の下面を支持すると共に、ベースプレート４３の底部から突出する一対の緊締ボルト４３１（図６参照）によって、便器本体２１の後部側の上面２１ａに固定されることにより、タンク本体４１を便器本体２１に固定する機能を有する。
【００２３】
タンク本体４１とベースプレート４３との取付け構造を図７に示す。タンク本体４１の底面４１２に、円形の下面開口部４１３が形成されている。この下面開口部４１３には、略円筒状の弁座シート４６が装着されている。弁座シート４６は、タンク本体４１の内部部品の一つであるフラッパー弁４ｄ（図７において図示せず）の弁座を構成する部品であり、下面開口部４１３よりも大径なフランジ部４６１を有している。弁座シート４６は、フランジ部４６１とタンク本体４１との間にパッキン４６ａを挟んで、タンク本体４１の内側から装着されている。
【００２４】
弁座シート４６は、フランジ部４６１よりも下方側に、外周面に雄ねじを有する円筒部４６２を一体に有し、この円筒部４６２が下面開口部４１３から下方に突出している。弁座シート４６は、下面開口部４１３から突出する円筒部４６２に、タンク本体４１の外側から締付けナット４６ｂが螺合することにより、タンク本体４１に取り付けられている。
【００２５】
一方、ベースプレート４３の中央部には、円形の開口部４３２が設けられ、この開口部４３２に、タンク本体４１の下面から突出する弁座シート４６の円筒部４６２が貫挿されている。そして、この開口部４３２から下方に突出する円筒部４６２に締付けナット４６ｃが螺合することにより、ベースプレート４３が締付けナット４６ｃとタンク本体４１との間で挟着されている。これにより、タンク本体４１の下部にベースプレート４３が固定される。
【００２６】
タンク本体４１に固定されたベースプレート４３は、下面に突設される一対の緊締ボルト４３１を、便器本体２１の設けられるタンク取付け穴（図示せず）に挿入させて固定される。これにより、タンク本体４１がベースプレート４３を介して便器本体２１に固定される。便器本体２１に固定されたタンク本体４１の円筒部４６２は、便器本体２１の洗浄水流入口（図示せず）と連通し、タンク本体４１内の洗浄水を便器本体２１に供給可能とされる。
【００２７】
防露材４４は、発泡スチロール樹脂等により、タンク本体４１の外周面に沿った形状に成形されている。本実施形態に示す防露材４４は、前側防露材４４１と後側防露材４４２とに２分割され、タンク本体４１を前後方向から挟むようにタンク本体４１の外周面に装着されている。防露材４４は、少なくともタンク本体４１内に貯留される洗浄水の水位に対応する高さを有する。
【００２８】
この防露材４４は、前側防露材４４１と後側防露材４４２とに前後方向に２分割されているため、成形型から離型するための抜き勾配が前後方向に設けられ、上下方向には抜き勾配は設けられない。これにより、前側防露材４４１と後側防露材４４２とが組み合わされて構成される防露材４４は、便器洗浄タンク４の前面側及び後面側において上下方向に沿って垂直に延びる面を形成することができる。その結果、便器洗浄タンク４を薄型化しても、防露材の抜き勾配に起因する便器洗浄タンク４のタンク容積の減少を招くおそれはない。しかも、本実施形態に示すタンク本体４１にも上下方向の抜き勾配が設けられていないことと相俟って、便器洗浄タンク４の更なる薄型化を図ることが可能である。
【００２９】
本実施形態に示す補強フレーム４５は、図６に示すように、便器洗浄タンク４の両側面に配置される金属製の側面フレーム部材４５１と、便器洗浄タンク４の前面側に幅方向に延びるように配置される金属製の補強ステー４５２と、を有している。なお、図６では、便器本体２１を破線で示し、便器本体２１上の便座２２、便蓋２３、便器装置の機能部２４及びタンクカバー５の図示を省略している。
【００３０】
側面フレーム部材４５１は、ベースプレート４３の幅方向の両端面４３ａ（図４参照）に、それぞれ固定ねじ４５ａによって固定されている。側面フレーム部材４５１は、ベースプレート４３からタンク本体４１の略１／２の高さに亘る範囲の便器洗浄タンク４の側面を覆うように配置されている。側面フレーム部材４５１は、平面視コ字型に形成されており、ベースプレート４３に取り付けられることによって、前側防露材４４１と後側防露材４４２とが前後に開かないように、２分割されている防露材４４を前後方向から挟持している。
【００３１】
補強ステー４５２の両端部は、左右の側面フレーム部材４５１に固定ねじ４５ｂによってそれぞれ固定されている。これにより、左右の側面フレーム部材４５１同士が補強ステー４５２によって連結され、側面フレーム部材４５１に生じるスプリングバック等によって側面フレーム部材４５１が左右方向に広がることを防止している。
【００３２】
補強フレーム４５は、使用者がタンクカバー５に凭れ掛かった際に、その荷重を受けてタンク本体４１に荷重を直接作用させないように機能する。補強ステー４５２に作用する荷重は、補強ステー４５２の両端部から各側面フレーム部材４５１に伝達される。側面フレーム部材４５１は、タンク本体４１よりも堅牢なベースプレート４３に固定されているため、補強ステー４５２から伝達される荷重を効果的に受け止め、ベースプレート４３を介して便器本体２１に逃がすことができる。
【００３３】
なお、前後方向に分割された防露材４４は、抜き勾配も前後方向に設けられるため、図６に示すように、前側防露材４４１の前面には、補強フレーム４５の補強ステー４５２を収容する凹部４４ａと側面フレーム部材４５１を収容する凹部４４ｂとを有することができる。この凹部４４ａ、４４ｂにより、補強フレーム４５の前方への突出量を抑えることができるため、補強フレーム４５を設けてもタンク本体４１のタンク容積の減少を招くことなく、便器洗浄タンク４を薄型化することができる。
【００３４】
タンクカバー５は、図２〜図４に示すように、便器洗浄タンク４の前方を覆う前カバー５１と、便器洗浄タンク４の側方及び後方を覆う後カバー５２と、便器洗浄タンク４の上方を覆う上カバー５３と、を有している。便器洗浄タンク４のタンク本体４１の外周面が、図６に示すように、上下方向に真っ直ぐに延び、床面ｆ１に対して垂直な面となるため、このタンクカバー５の前面５０ａ及び後面５０ｂも、タンク本体４１の前面及び後面に沿って、床面ｆ１に対して垂直に配置することができる。従って、図１に示すタンクカバー５の最前端Ｐ２は、タンクカバー５の前面５０ａの位置に一致し、タンクカバー５の最後端Ｐ３は、タンクカバー５の後面５０ｂの位置に一致する。これにより、タンクカバー５は、奥行き寸法が縮小された便器洗浄タンク４に対して可及的に近接させることができるため、タンクカバー５の最大奥行き寸法Ｄｂ（図１参照）も縮小される。
【００３５】
前カバー５１は、便器本体２１の上方に配置されると共に、便器本体２１上の便座装置の機能部２４と便器洗浄タンク４との間に配置される。便器本体２１上の機能部２４の後端面２４１は、図３に示すように、前方に向けて凹むように幅方向に湾曲している。前カバー５１は、この機能部２４の後端面２４１の湾曲面に合致するように、前方に向けて凸となるように幅方向に湾曲している。このため、前カバー５１が平坦面である場合に比べて、前方へ湾曲している分だけ便器洗浄タンク４のタンク容積を確保することができる。なお、図１に示すタンクカバー５の最前端Ｐ２は、前カバー５１が前方に最も突出している部位である。
【００３６】
後カバー５２は、便器洗浄タンク４の高さと略同一の高さを有する。後カバー５２は、図４に示すように、便器洗浄タンク４の両側方にそれぞれ設けられた側面フレーム部材４５１に対して、固定ねじ５２ａによってねじ止めされる。前カバー５１と上カバー５３は、この後カバー５２に対して取り外し可能に設けられている。これにより、便器洗浄タンク４の全体がタンクカバー５によって遮蔽されるため、見栄えが良好となり、意匠性が向上する。
【００３７】
便器洗浄タンク４の下方且つ便器２の後方は、図２及び図４に示すように、Ｌ型に組み付けられた左右一対の下カバー５４によって覆われている。これにより、便器２の後方に配置される配管部品（図示せず）等が目隠しされると共に、便器２の後方側が、便器洗浄装置３から下方向に延びる薄型の略直方形状に統一され、意匠性が更に向上する。
【００３８】
タンクカバー５の前カバー５１は、後カバー５２に対して、例えばねじ止め、磁石、面ファスナー等により着脱可能に取り付けられる。このため、便器洗浄タンク４のメンテナンスの際は、前カバー５１を後カバー５２から取り外すことにより、便器洗浄タンク４に容易にアクセス可能である。このとき、便器洗浄タンク４を便器本体２１から取り外す必要はないため、メンテナンス作業も容易に行うことができる。
【００３９】
本実施形態に示す前カバー５１は、後カバー５２に対して上方に向けて取り外し可能である。これにより、タンクカバー５の下部前方に配置される便座２２、便蓋２３及び便座装置の機能部２４を便器本体２１に取り付けた状態のまま、前カバー５１を取り外して便器洗浄タンク４に対してアクセスすることが可能となり、便器洗浄タンク４のメンテナンス性を更に向上させることができる。
【００４０】
ここで、タンクカバー５の横幅をＷ、タンクカバー５の高さをＨとしたとき、便器装置１の前出寸法（水平距離Ｄａ）との関係が、Ｄａ：Ｗ：Ｈ＝１０：５．４：５．７であることが好ましい。タンクカバー５は、横幅に比べて高さを大きくしているため、それだけ便器洗浄タンク４の高さを高くできる。その結果、便器洗浄タンク４が薄型化されて横断面積が小さくなっても、便器洗浄タンク４の高さを高くできることにより、タンク容積を確保することができる。また、便器洗浄タンク４の高さを高くすることにより、水頭圧が高くなるため、洗浄水の勢いも強くなる。
【００４１】
なお、横幅Ｗは、タンクカバー５の最も左右方向に張り出した部位の寸法である。本実施形態に示すタンクカバー５は、前カバー５１が後カバー５２よりも幅広に形成されているため、タンクカバー５の横幅Ｗは、前カバー５１の横幅である（図４参照）。また、高さＨは、便器洗浄タンク４が固定される便器本体２１の上面２１ａからタンクカバー５の最も上方向に張り出した部位までの寸法である。本実施形態に示すタンクカバー５は、前カバー５１が後カバー５２及び上カバー５３よりも上方に張り出しているため、タンクカバー５の高さＨは、前カバー５１の上下方向の寸法である（図４参照）。
【００４２】
このような便器装置１によれば、便器洗浄タンク４が上下方向に垂直な側壁面を持つため、３Ｌ（リットル）以上のタンク容積を確保しつつ、タンクカバー５の最大奥行き寸法Ｄｂを容易に縮小でき、上記のＤｂ≦Ｄａ／５の関係を満たすことが容易となる。
【００４３】
以上の実施形態に示す便器装置１では、便器洗浄タンク４は上下方向の抜き勾配を持たない構造を有するが、図８に示す便器装置１Ａのように、便器洗浄タンク４Ａが上下方向の抜き勾配を持つことにより、下から上に向かうに従って幅広に形成される構造を有する場合でも、３Ｌ（リットル）以上という便器洗浄タンク４Ａのタンク容積を確保しつつ、上記のＤｂ≦Ｄａ／５の関係を満たすことにより、便器装置１Ａの前出寸法Ｄａを縮小することができる。
【００４４】
但し、この場合は、便器洗浄タンク４Ａが上下方向の抜き勾配を持つことにより、タンクカバー５Ａの前面５０ａ及び後面５０ｂも上下方向に傾斜する面となる。このため、便鉢２１ｂの大きさを変えずに、３Ｌ（リットル）以上という便器洗浄タンク４のタンク容積を確保しつつ、タンクカバー５の最大奥行き寸法Ｄｂを縮小することは、便器装置１の場合に比べるとやや困難となる。
【符号の説明】
【００４５】
１  便器装置
２１  便器本体
２１ａ  （便器本体の）上面
４  便器洗浄タンク
４１  タンク本体
５  タンクカバー
ｆ１  床面
【図１】
2019190251.tif 000003
【図２】
2019190251.tif 000004
【図３】
2019190251.tif 000005
【図４】
2019190251.tif 000006
【図５】
2019190251.tif 000007
【図６】
2019190251.tif 000008
【図７】
2019190251.tif 000009
【図８】
2019190251.tif 000010